(57)【要約】【課題】  容器本体の頭部に装着されて容器内の内容液を吐出する吐出ヘッドのノズルを、容易に洗浄できるようにした吐出ヘッドを創出することを課題とする。【解決手段】  容器体（２０）側の注出筒（２１）に連結する嵌合筒（５１）及び容器体（２０）内から注出筒（２１）を通じて注出される内容物を外部に吐出する吐出ノズル（５６）を備えたノズル部（５０）と、ノズル部（５０）の上部に設けられたレバー本体（６０）と、容器体（２０）の頭部に装着されると共にノズル部（５０）及びレバー本体（６０）が収納される筒状カバー（３０）とを備えた吐出ヘッドであって、レバー本体（６０）は、筒状カバー（３０）に支持される頂板（６２）と、頂板（６２）の両側方向に延びて筒状カバー（３０）の頂壁（３０Ｄ）に支持される一対の支持腕（６６）と、支持腕（６６）を両側方向に付勢する弾性変形部（６７）とを有して構成され、支持腕（６６）に頂壁（３０Ｄ）の内縁部（３０ｂ）を掛止する掛止突起（６９）を設けた構成とした。【選択図】  図４
2015209254.tif 000002
【特許請求の範囲】
【請求項１】
容器体（２０）側の注出筒（２１）に連結する嵌合筒（５１）及び前記容器体（２０）内から前記注出筒（２１）を通じて注出される内容物を外部に吐出する吐出ノズル（５６）を備えたノズル部（５０）と、該ノズル部（５０）の上部に設けられたレバー本体（６０）と、前記容器体（２０）の頭部に装着されると共に前記ノズル部（５０）及び前記レバー本体（６０）が収納される筒状カバー（３０）とを備えた吐出ヘッドであって、
前記レバー本体（６０）は、筒状カバー（３０）に支持される頂板（６２）と、前記頂板（６２）の両側方向に延びて前記筒状カバー（３０）の頂壁（３０Ｄ）に支持される一対の支持腕（６６）と、該支持腕（６６）を両側方向に付勢する弾性変形部（６７）とを有して構成され、前記支持腕（６６）に前記頂壁（３０Ｄ）の内縁部（３０ｂ）を掛止する掛止突起（６９）を設けたことを特徴とする吐出ヘッド。
【請求項２】
筒状カバー（３０）の両側壁（３０Ｃ）に、一対の支持腕（６６）の押し込み量を一定に制限する凹部（３２）を設けた請求項１記載の吐出ヘッド。
【請求項３】
ノズル部（５０）は、吐出ノズル（５６）を備える本体（５３）と嵌合筒（５１）を備える底板（５２）を有すると共に、前記本体（５３）と前記底板（５２）との一体的な組み付け及びその分解を可能とするヒンジ（５４）を有する構成とした請求項１又は２に記載の吐出ヘッド。
【請求項４】
容器体をエアゾール容器とする請求項１乃至３のいずれか一項に記載の吐出ヘッド。
【発明の詳細な説明】
【技術分野】
【０００１】
本発明は、エアゾール容器等の頭部に装着されて容器内の内容液を吐出する吐出ヘッドに関する。
【背景技術】
【０００２】
従来、例えばある種の染毛剤のように、２種の薬液を使用時に一緒に吐出するタイプのもので、薬液を個々にエアゾール式の容器体に収納し、この一対の容器体から内容物である薬液を同時に噴出させると共に、この噴出させた薬液を一緒に一ヶ所から吐出するものとして、例えば以下の特許文献１に開示された技術がある。
【０００３】
この従来技術は、ステムが設けられた２つの容器体と、両容器体に着脱自在に組み付くカバー筒と、このカバー筒内に収納されるノズルを備えた押下げヘッド部材及び押下げ板を具備し、押下げヘッド部材は容器体のステムに係合し、ステムと共に上下可能にカバー筒に収納されている。
【０００４】
そして、押下げ板を指で押下げると、押下げヘッドが押し下げられ、それに伴って両容器体のステムが押下げられ、両容器体から異なる内容液が押下げヘッド内に入り、その先端のノズルから同時に吐出されるようになっている。
【先行技術文献】
【特許文献】
【０００５】
【特許文献１】特開２００２−０３７３６６号公報
【発明の概要】
【発明が解決しようとする課題】
【０００６】
この種の吐出ヘッドでは、ノズルを備えた押下げヘッド部材内に内容液が残留することがあり、一度使用してから次に使用するまでの不使用期間が長い場合には、残留した内容液が硬化して詰まることがある。特に泡タイプの内容液の場合には、泡に吸着した空気中の塵埃が、その泡の乾燥と共に押下げヘッド部材の内壁にこびり付くことがあり、衛生管理上問題となることが考えられる。したがって、押下げヘッド部材を洗浄することが可能な構成が望まれる。
【０００７】
しかしながら上記特許文献１に記載の従来の吐出ヘッドでは、ノズルを備えた押下げヘッド部材を構成する頂板の両端に形成されている係合部（係合彎曲板）がカバー筒側の左右両側壁内面に形成されている凹部に係合することによって組み立てられ、その係合を容易に解除することができない構成であることから、吐出ヘッドを分解して押下げヘッド部材、特にノズル内を洗浄することが困難であるという問題があった。
【０００８】
本発明は、上記した従来技術における問題点を解消すべく、エアゾール容器など容器体の頭部に装着されて容器内の内容液を吐出する押下げヘッド部材（ノズル部）の取り外しを可能とし、ノズルの洗浄を簡単に行えるようにした吐出ヘッドを創出することを課題とする。
【課題を解決するための手段】
【０００９】
上記課題を解決するための手段のうち、本発明の主たる構成は、
容器体側の注出筒に連結する嵌合筒及び容器体内から注出筒を通じて注出される内容物を外部に吐出する吐出ノズルを備えたノズル部と、ノズル部の上部に設けられたレバー本体と、容器体の頭部に装着されると共にノズル部及びレバー本体が収納される筒状カバーとを備えた吐出ヘッドであって、レバー本体は、筒状カバーに支持される頂板と、頂板の両側方向に延びて筒状カバーの頂壁に支持される一対の支持腕と、支持腕を両側方向に付勢する弾性変形部とを有して構成され、支持腕に頂壁の内縁部を掛止する掛止突起を設けたことを特徴とする、と云うものである。
【００１０】
本発明の主たる構成では、ノズル部の上部に設けられたレバー本体から両側方向に延びる一対の支持腕の先端を両側から挟んで押し込むことにより、支持腕に設けられた掛止突起による筒状カバーの頂壁の内縁部の掛止を容易に解除することが可能となる。その結果、筒状カバーのノズル収納部の上部を覆うレバー本体を取り外し、その下に配置されているノズル部を取り出して洗浄することができる。
【００１１】
また本発明の他の構成は、本発明の主たる構成に、筒状カバーの両側壁に、一対の支持腕の押し込み量を一定に制限する凹部を設けたとの構成を加えたものである。
【００１２】
上記構成では、一対の支持腕の押し込み量を常に一定とすることが可能となり、必要最小限の操作量でレバー本体を筒状カバーから取り外すことができる。
【００１３】
また本発明の他の構成は、上記いずれかの構成に、ノズル部は、吐出ノズルを備える本体と嵌合筒を備える底板を有すると共に、本体と底板との一体的な組み付け及びその分解を可能とするヒンジを有する構成としたことを加えたものである。
【００１４】
上記構成では、取り出したノズル本体を開放状態とすることができるため、ノズル部の内部を簡単且つ確実に洗浄することができる。
【００１５】
また本発明の他の構成は、上記いずれかの構成に、容器体をエアゾール容器とするとの構成を加えたものである。
【００１６】
上記構成では、特にエアゾール容器用として使用した吐出ヘッド内の吐出ノズルの洗浄を容易とすることができる。
【発明の効果】
【００１７】
本発明は、上記した構成となっているので、以下に示す効果を奏する。
【００１８】
本発明においては、筒状カバーのノズル収納部の上部を覆うレバー本体の両支持腕を両側から挟んで中心側に押し込むだけでレバー本体及びその下部位置に収納されている吐出ノズルを取り出すことが可能となるため、吐出ノズルを容易に洗浄することができ、吐出ノズルの詰まりを防止することができる。
【００１９】
またノズル部の構成を、吐出ノズルを備える本体と嵌合筒を備える底板とをヒンジを介して結合した構成では、ノズル部を開放状態とすることにより、ノズル部内を簡単且つ確実に洗浄することが可能となるため、吐出ヘッドの衛生管理を向上させることができる。
【図面の簡単な説明】
【００２０】
【図１】本発明の吐出ヘッドの実施例を前面側から示す半断面図である。
【図２】図１の吐出ヘッドの平面図である。
【図３】図１の吐出ヘッドを側方から示す断面図である。
【図４】図１の吐出ヘッドにおいて掛止突起を解除した状態を示す図１同様の半断面図である。
【図５】ノズル部の構成を示す拡大断面図である。
【図６】本発明の吐出ヘッドの他の実施例を背面側から示す半断面図である。
【発明を実施するための形態】
【００２１】
以下、本発明の実施の形態について図面を参照しつつ説明する。
【００２２】
先ず吐出ヘッド１０の構成について説明する。
図１乃至図５に示す吐出ヘッド１０は、例えばエアゾールなどの容器体２０の頭部に装着され、容器内の内容液を吐出するためのものである。吐出ヘッド１０は合成樹脂材からなる射出成形品であり、主に容器体２０の頭部に装着される筒状カバー３０と、容器体２０内の内容液を吐出するノズル部５０と、ノズル部５０を押下するレバー本体６０とを有して構成される。
【００２３】
筒状カバー３０は横長円筒形状に形成され、吐出ノズル５６が突出している側が前面３０Ａ（図２の上部側）であり、前面３０Ａの逆側が背面３０Ｂである。また筒状カバー３０の両側壁３０Ｃ，３０Ｃは円弧状の凸曲面で形成されている。
前面３０Ａには凹状に切り欠かれた切欠部３１が形成され、両側壁３０Ｃには溝状の凹部３２が筒状カバー３０の上端から下方に向かって形成されている。この凹部３２の最下端には係止孔３２ａが形成されている。
【００２４】
図３に示すように筒状カバー３０の下部側には容器収納部３３が設けられ、上部側にはノズル収納部３４が設けられている。容器収納部３３には固定盤４０及びこの固定盤４０で保持された一対の容器体２０の頭部が収納され、ノズル収納部３４にはノズル部５０及びレバー本体６０が配置される。
【００２５】
固定盤４０は、並列状態にある一組の容器体２０を保持し、吐出ヘッド１０からの容器体２０の意図しない脱落を防止するためのものである。固定盤４０を一組の容器体２０，２０の上部外周に掛け渡して嵌着させることによって保持することができるようになっている。固定盤４０の両側部には係止突起４１が突設されており、筒状カバー３０の両側壁３０Ｃの凹部３２の最下端に形成された係止孔３２ａに挿入されることで固定盤４０が筒状カバー３０に固定される。
【００２６】
図１及び図３等に示すように、ノズル部５０は、容器体２０に設けられた各注出筒（ステム）２１に各々嵌合させた嵌合筒５１を底板５２の下面に垂下設すると共に、底板５２の上に箱型の本体５３を備える。本体５３の前面には吐出ノズル５６が一体に形成されており、吐出ノズル５６は切欠部３１を抜けて筒状カバー３０の前方に突設されている。本体５３側には、本体５３内の中央から吐出ノズル５６の中央を延設し、本体５３内及び吐出ノズル５６内を二分割する区画壁５７が設けられ、各嵌合筒５１，５１から個別のルートで２つの内容液が同時に吐出されるようになっている。
【００２７】
図３及び図５にはノズル部５０のより好ましい構成例を示している。すなわち、ノズル部５０は底板５２と本体５３とが図示右端側に設けられたヒンジ５４を介して一体形成している。本体５３の図示左端側の位置には掛止突起５８が形成され、底板５２の左端側には上端に掛止突起５９ａ及び下端に操作部５９ｂを有する揺動片５９が設けられている。そして、図５に示すように、ノズル部５０をヒンジ５４を中心に底板５２又は吐出ノズル５６を有する本体５３の一方を１８０度回動させ、一方の掛止突起５８と他方の掛止突起５９ａとを掛止させることにより、底板５２の上に本体５３が一体に組み付けられている。
【００２８】
レバー本体６０は、主に筒状カバー３０の容器収納部３３の上部に不動状態に設けられた平面略Ｃ字形状からなる頂板６２と、この頂板６２に対してヒンジ部６３を介して揺動自在に連結された操作レバー６１と、頂板６２の両端から左右に延設された一対の支持腕６６，６６を有して構成される。操作レバー６１の下面には本体５３の頂壁に当接し、ノズル部５０を押下可能な押圧突起６５が突設されている。また頂板６２と左右の各支持腕６６，６６との間には、両支持腕６６の基端を屈曲させて形成した弾性変形部６７，６７が形成されており、一対の支持腕６６は弾性変形部６７の弾性力により両側方向外側に向けて付勢された状態にある。図２に示すように、この一対の支持腕６６は筒状カバー３０の頂壁３０Ｄに形成された左右の溝３０ａ、３０ａ内に両側方向に摺動自在の状態で支持されている。なお、両支持腕６６の先端６８は凹部３２の深さ寸法分だけ凹部３２の底面から外方向に突出している（図１の拡大図参照）。
【００２９】
図１に示すように、逆Ｌ字形状に屈曲した支持腕６６の基端の下部位置には掛止突起６９が形成されている。掛止突起６９は支持腕６６を支持する筒状カバー３０の頂壁３０Ｄの内縁部３０ｂ、より詳しくは筒状カバー３０の頂壁３０Ｄに形成された溝３０ａの内縁部３０ｂを掛止している。
【００３０】
図２に「Ｐｕｓｈ」と刻印された操作レバー６１を指で押し下げると、操作レバー６１はヒンジ部６３を支点に下降し、押圧突起６５がノズル部５０の頂壁を押下する。それに伴って両容器体２０の注出筒２１が押し下げられ、各内容液は両容器体２０から嵌合筒５１、本体５３を通って吐出ノズル５６に達し、吐出ノズル５６の先端から外部に吐出されることになる。
【００３１】
次に、ノズル部の洗浄について説明する。
図４に破線で示すように、例えば親指と人指し指との間にレバー本体６０の両支持腕６６の先端６８を挟み込み、この状態から弾性変形部６７の付勢力に抗して互いを接近する方向に押し込むと、両支持腕６６が吐出ヘッド１０の中心方向に摺動して掛止突起６９が内縁部３０ｂから外れて掛止状態を解除することができる。そして、そのままレバー本体６０を上方に引き上げることにより、レバー本体６０を筒状カバー３０のノズル収納部３４から取り外すことができ、続いてノズル部５０を引き上げることにより同様に取り外すことができる。
【００３２】
このように本発明では、両側からレバー本体６０を構成する一対の支持腕６６の各先端６８を挟み、この状態から押し込むだけでレバー本体６０を取り外し、その下部に設けられたノズル部５０を簡単に取り出すことができるため、ノズル部５０の洗浄を容易とすることができる。
【００３３】
しかも、本発明のより好ましい構成例として示したノズル部５０では、底板５２側の操作部５９ｂを押し込んで揺動片５９を揺動させると、掛止突起５９ａと本体５３側の掛止突起５８との掛止を解除することができ、ノズル部５０を図５の破線に示すような開放状態とすることが可能である。このため、ノズル部５０の内部をより簡単且つ確実に洗浄することが可能である。
【００３４】
またレバー本体６０を取り外すときには、例えば親指の人指し指との間に一対の支持腕６６の各先端６８を挟み、この状態から両支持腕６６を吐出カバー１０の中心方向に押し込むと、押し込んだ指が両側壁３０Ｃに形成された凹部３２底面に当接し、これ以上両支持腕６６が押し込まれることを防止することが可能となっている。よって、解除に必要な押し込み量を常に一定に制限することができるため、必要最小限の操作量でレバー本体６０を筒状カバー３０から取り外すことができる。
【００３５】
また図６に他の実施例として示すように、レフィール用の揺動片７０を設けた構成とすることもできる。揺動片７０は、筒状カバー３０の両側壁３０Ｃに、上下の両端部が高さ方向の略中心部に設けられた支点７１に中心に揺動自在に取り付けられ、筒状カバー３０の両側壁３０Ｃに倣う凸曲面形状とした構成である。この揺動片７０の上部には被押圧部７２が形成され、下部には係止孔７３が形成されている。そして、固定盤４０に形成された係止突起４１が揺動片７０の係止孔７３に係合することによって、吐出ヘッド１０が固定盤４０に固定された容器体２０の頭部に固定されている。
【００３６】
上方の被押圧部７２を押下して揺動片７０を揺動させると、その下方が外方に揺動し、係止孔７３と固定盤４０に形成された係止突起４１との係合が解除されるため、一対の容器体２０を筒状カバー３０から容易に取り外し、新規な容器体３０と交換することが可能となる。
【００３７】
以上、実施例に沿って本発明の構成とその作用効果について説明したが、本発明の実施の形態は上記実施例に限定されるものではない。
【００３８】
例えば、上記実施例では、容器体２０を２本一組とした場合の吐出ヘッド１０を示して説明したが、本発明の吐出ヘッド１０は１本の容器体２０を吐出させるようにした構成とすることもできる。この場合、嵌合筒５１は底板５２の中央に一つ設けた構成となり、吐出ノズル５６内を二分割する区画壁５７は不要となる。
【産業上の利用可能性】
【００３９】
本発明の吐出ヘッドは、容器体に装着して使用される吐出ヘッドの分野における用途展開をさらに広い領域で図ることができる。
【符号の説明】
【００４０】
１０  ：  吐出ヘッド
２０  ：  容器体
２１  ：  注出筒（ステム）
３０  ：  筒状カバー
３０Ｃ：  側壁
３０Ｄ：  頂壁
３０ａ：  溝
３０ｂ：  頂壁の内縁部
３１  ：  切欠部
３２  ：  凹部
３２ａ：  係止孔
３３  ：  容器収納部
３４  ：  ノズル収納部
４０  ：  固定盤
４１  ：  係止突起
５０  ：  ノズル部
５１  ：  嵌合筒
５２  ：  底板
５３  ：  本体
５４  ：  ヒンジ
５６  ：  吐出ノズル
５７  ：  区画壁
５８  ：  掛止突起
５９  ：  揺動片
５９ａ：  掛止突起
５９ｂ：  操作部
６０  ：  レバー本体
６１  ：  操作レバー
６２  ：  頂板
６３  ：  ヒンジ部
６５  ：  押圧突起
６６  ：  支持腕
６７  ：  弾性変形部
６８  ：  支持腕の先端
６９  ：  掛止突起
７０  ：  揺動片
７１  ：  支点
７２  ：  被押圧部
７３  ：  係止孔
【図１】
2015209254.tif 000003
【図２】
2015209254.tif 000004
【図３】
2015209254.tif 000005
【図４】
2015209254.tif 000006
【図５】
2015209254.tif 000007
【図６】
2015209254.tif 000008